(57)【要約】  【課題】  吐水流量を調節するための操作部材を繰り返し使用しても良好な状態に保つことができる水栓を提供すること。  【解決手段】  弁体１０を制御する制御部材１４と、この制御部材１４を操作するための操作部材２２と、前記制御部材１４の上部に上下方向に形成された穴３０内にその上方から挿入されるねじ部材３４とを備え、ねじ部材３４の頭部３６と制御部材１４の上端部とで操作部材２２を挟持するように構成された水栓であって、前記制御部材１４に、前記穴３０を横断し一端側ほど狭まるテーパ孔３１が設けられているとともに、このテーパ孔３１内に挿入されるブロック３２を備え、このブロック３２に前記ねじ部材３４の雄ねじ部３５を螺着してなる。  【選択図】  図２
2005281983.tif 000002
【特許請求の範囲】
【請求項１】
弁体を制御する制御部材と、この制御部材を操作するための操作部材と、前記制御部材の上部に上下方向に形成された穴内にその上方から挿入されるねじ部材とを備え、ねじ部材の頭部と制御部材の上端部とで操作部材を挟持するように構成された水栓であって、前記制御部材に、前記穴を横断し一端側ほど狭まるテーパ孔が設けられているとともに、このテーパ孔内に挿入されるブロックを備え、このブロックに前記ねじ部材の雄ねじ部を螺着してなることを特徴とする水栓。
【請求項２】
前記テーパ孔内に、前記ブロックをテーパ孔の他端側へと付勢する弾性部材を設けてある請求項１に記載の水栓。
【発明の詳細な説明】
【技術分野】
【０００１】
この発明は、例えば、単水栓やシングルレバー式湯水混合水栓などの水栓に関する。
【背景技術】
【０００２】
単水栓やシングルレバー式湯水混合水栓では、吐水流量を調節するためのレバーなどの操作部材を従来よりビス止めしている。
【発明の開示】
【発明が解決しようとする課題】
【０００３】
しかし、前記操作部材は繰り返し操作されるものであり、その操作の繰り返しに伴ってビスが徐々に緩んでくるという問題があった。
【０００４】
この発明は上述の事柄に留意してなされたもので、その目的は、吐水流量を調節するための操作部材を繰り返し使用しても良好な状態に保つことができる水栓を提供することである。
【課題を解決するための手段】
【０００５】
上記目的を達成するために、この発明の水栓は、弁体を制御する制御部材と、この制御部材を操作するための操作部材と、前記制御部材の上部に上下方向に形成された穴内にその上方から挿入されるねじ部材とを備え、ねじ部材の頭部と制御部材の上端部とで操作部材を挟持するように構成された水栓であって、前記制御部材に、前記穴を横断し一端側ほど狭まるテーパ孔が設けられているとともに、このテーパ孔内に挿入されるブロックを備え、このブロックに前記ねじ部材の雄ねじ部を螺着してなることを特徴としている（請求項１）。
【０００６】
また、前記テーパ孔内に、前記ブロックをテーパ孔の他端側へと付勢する弾性部材を設けてあってもよい（請求項２）。
【発明の効果】
【０００７】
請求項１に係る発明では、吐水流量を調節するための操作部材を繰り返し使用しても良好な状態に保つことができる水栓が得られる。すなわち、制御部材の上部に上下方向に形成された穴内に挿入されるねじ部材を、前記穴を横断するテーパ孔内に挿入したブロックにねじ込むと、このねじ込みに伴ってねじ部材の頭部とブロックとを近づける方向に力が発生する。そして、この力の一部は、ブロックがテーパ孔の内周面に沿ってその他端側に移動する力に変換される。従って、ねじ部材をブロックに螺着することにより、ねじ部材の頭部とブロックとを近づける方向の力が発生するので、操作部材をねじ部材の頭部とブロックを内蔵した制御部材の上端部とで挟持するに際してその挟持力が確保され、また、ブロックに対して上方およびテーパ孔の他端側へと移動させる方向に力が加えられるので、このブロックによってねじ部材は強力に固定されることになる。従って、操作部材を繰り返し使用しても良好な状態に保つことができる。
【０００８】
請求項２に係る発明では、ブロックに対して加えられるテーパ孔の他端側へと移動させる方向の力がより大きくなるので、このブロックによってねじ部材はより強力に固定されることになる。
【発明を実施するための最良の形態】
【０００９】
図１〜図３は、この発明の第１の実施の形態を示し、図１は、この発明の第１の実施の形態に係る水栓の構成を概略的に示す縦断面図、図２および図３は、前記水栓の要部の構成を概略的に示す説明図および斜視図である。
【００１０】
この実施例の水栓は単水栓であり、以下にその構成を詳述する。まず、図１および図２において、１は水栓本体であり、この水栓本体１は、後側の給水部２より導入された水が内部を通り前側の吐水部３からその下流側へと導出されるように構成されている。そして、前記水栓本体１の内部は、隔壁４によって上流側空間５と下流側空間６とに仕切られている。この隔壁４の中央部分７は前後方向に延び、中央部分７の上側に下流側空間６が、下側に上流側空間５がそれぞれ位置するように構成されている。また、前記中央部分７には連通孔８が形成されており、この連通孔８により上流側空間５と下流側空間６とが連通している。
【００１１】
さらに、前記隔壁４の中央部分７における連通孔８の周縁部には環状の弁座９が突設されているとともに、この弁座９に対して近接・離間可能であり、止水時には弁座９に圧接する弁体１０が弁座９の上方に設けられている。この弁体１０は、上下方向に延びる棒状部分１１と、この棒状部分１１の下側に設けられた円板状の台座１２と、この台座１２の下面に設けられ弁座９に圧接可能な例えば合成ゴムからなるパッキン１３とを備えている。
【００１２】
１４は弁体１０を制御して弁座９に対する弁体１０の開度を調整する制御部材としての栓棒である。この栓棒１４には、弁体１０の棒状部分１１をガイドするための孔１５が下面から上方に向けて設けられており、このガイドによって弁体１０は上下動のみ許容される。また、栓棒１４の下部側面には雄ねじ部１６が形成されており、この雄ねじ部１６は水栓本体１の中央上部に突設された筒部１７内面の雌ねじ部１８に螺合し、この螺合により下流側空間６は閉塞されている。そして、栓棒１４は筒部１７を挿通し、その上部が筒部１７の上端よりも上側に突出した状態となっている。
【００１３】
１９は栓棒１４の上部に挿通され筒部１７に螺着する押さえ金具であり、内部に三角パッキン２０が設けられ、このパッキン２０は受板２１により押さえ金具１９内に支持されている。
【００１４】
２２は栓棒１４を回動操作するための操作部材であり、図１に示すように、本体部２３とこの本体部２３に連設されるレバー部２４とを備えている。そして、本体部２３内には、栓棒１４の上部外周面に設けられたアウターセレーション２５と噛み合うインナーセレーション２６が設けられ、また、このインナーセレーション２６の上側に小径部分２７が連設され、さらに、この小径部分２７の上側に大径部分２８が連設されている。
【００１５】
なお、２９は水栓本体１の吐水部３に連結された吐水管である。
【００１６】
ここまでの構成は、従来の単水栓と何ら変わるところがない。そして、この実施の形態の単水栓は、操作部材２２の取り付け構造に特徴がある。以下、この実施の形態の単水栓の特徴的構成について述べる。
【００１７】
図２において、３０は栓棒１４の上部に上下方向に形成された（詳しくは栓棒１４の上面から下方に向けて形成された）穴であり、栓棒１４には、この穴３０を横断し一端側ほど狭まるテーパ孔３１が設けられている。３２はこのテーパ孔３１内に挿入され前記穴３０よりも大きいほぼ円柱形状をしたブロックであり、テーパ孔３１の内面に沿うようにその外面はテーパ状となっている。このブロック３２は、例えば、ＡＢＳ樹脂などの適宜の柔らかさを持った樹脂よりなり、前記操作部材２２の小径部分２７および栓棒１４の穴３０よりも内径の小さい上下方向に延びる貫通孔３３を有している。
【００１８】
３４は栓棒１４の穴３０内にその上方から挿入される前記ブロック３２に螺着するねじ部材であり、外径が前記栓棒１４の穴３０の内径とほぼ合致する雄ねじ部３５と、操作部材２２の前記小径部分２７の内径よりも大きい外径を持つ頭部３６とを備えている。
【００１９】
なお、３７はねじ部材３４の頭部３６と操作部材２２の小径部分２７との間に設けられるシート部材であり、ねじ部材３４の雄ねじ部３５に挿通される挿通孔３８を有している。３９はねじ部材３４の頭部３６を覆うように操作部材２２の本体部２３上面に着脱自在に取り付けられるカバー部材である。
【００２０】
次に、操作部材２２の取り付け方について説明する。まず、栓棒１４のテーパ孔３１の他端側からブロック３２を挿入するとともに、栓棒１４のアウターセレーション２５に操作部材２２のインナーセレーション２６を嵌め込む。続いて、シート部材３７を操作部材２２の小径部分２７の上側に載置し、ねじ部材３４の雄ねじ部３５をシート部材３７の挿通孔３８、操作部材２２の小径部分２７および栓棒１４の穴３０内に挿入する。そして、ねじ部材３４の雄ねじ部３５がブロック３２の上面に到達すれば、ねじ部材３４の頭部３６がシート部材３７を介して操作部材２２の小径部分２７の上面に圧接する状態となるまでねじ部材３４の雄ねじ部３５をブロック３２の貫通孔３３内にねじ込み、これにより、ねじ部材３４は図３に示す状態となる。このとき、ねじ部材３４の雄ねじ部３５はその下部が貫通孔３３の下方に突出した状態となる。
【００２１】
ここで、ねじ部材３４のねじ込みに伴い、貫通孔３３にねじ部材３４の雄ねじ部３５に対応する雌ねじ部（図示していない）が形成されるとともに、ねじ部材３４の頭部３６とブロック３２とを近づける方向に力が発生する。そして、この力の一部は、ブロック３２のテーパ状の外周面がテーパ孔３１の内周面に沿うように構成されているので、ブロック３２をテーパ孔３１の他端側に移動させる力に変換される。
【００２２】
従って、図３に示す状態となるまでねじ部材３４を貫通孔３３にねじ込むことにより、ねじ部材３４の頭部３６とブロック３２とを近づける方向の力が発生するので、操作部材２２の小径部分２７をねじ部材３４の頭部３５と栓棒１４の上端部とで挟持するに際してその挟持力を確保することができる。また、このとき、上方およびテーパ孔３１の他端側へと移動する方向に力が加えられるブロック３２によって、ねじ部材３４は強力に固定されることになる。
【００２３】
そして、最後に、カバー部材３９を操作部材２２の本体部２３の上面に取り付けることにより、操作部材２２の取り付けが完了する。
【００２４】
上記のように操作部材２２が取り付けられた単水栓では、この操作部材２２を一方に回転すると、栓棒１４が上方に移動し、パッキン１３が水圧により押し上げられて弁座９から離脱し、水栓本体１の上流側空間５から連通孔８を介して下流側空間６に水が流れ、吐水部３および吐水管２９を経て吐水管２９の下流端に設けられた吐水口２９ａから吐水される。また、前記操作部材２２を回動操作することによって吐水口２９ａからの吐水流量を適宜調節することができる。
【００２５】
図４〜図６は、この発明の第２の実施の形態を示し、図４は、この発明の第２の実施の形態に係る水栓の構成を概略的に示す分解斜視図、図５は、前記水栓の要部の構成を概略的に示す縦断面図、図６は、前記水栓の要部の構成を概略的に示す分解縦断面図である。
【００２６】
この実施例の水栓はシングルレバー式湯水混合水栓であり、以下にその構成を説明する。まず、図４において、４０は水栓本体であり、湯導入管４１と水導入管４２と吐出管４３とが接続され、湯導入管４１からの湯と水導入管４２からの水とを適宜の割合で混合してなる湯水を吐出管４３から吐出するように構成されている。
【００２７】
前記水栓本体４０は、図５に示すように、前記湯導入管４１、水導入管４２から導入する湯水を混合するためのカートリッジ４４を着脱自在に内蔵している。このカートリッジ４４は、ケース体４５内に、アタッチメント（図示せず）を介して前記湯導入管４１、水導入管４２に連通される湯弁孔および水弁孔（ともに図示していない）並びに混合水流路（図示していない）に連通される混合水用弁孔４６ａが開設された固定ディスク４６と、この固定ディスク４６に水密状態に摺動自在に上載された弁体としての可動ディスク４７と、この可動ディスク４７の上方に設けられた合成樹脂材よりなるガイド４８と、このガイド４８に回動自在でかつ傾動可能に枢支されその上部に突出し可動ディスク４７を制御する制御部材としてのレバー４９とを備えており、このカートリッジ４４の上部から突出したレバー４９にレバー４９を操作するための操作部材５０としてのハンドル（図４参照）を固定している。
【００２８】
詳しくは、前記カートリッジ４４の内部は略円筒状に形成されており、その内部にガイド４８が回動自在に挿入されている。また、ガイド４８には、金属材よりなるレバー４９が支点４９ａを中心に枢支されており、そのレバー４９の下端が可動ディスク４７の上部に設けられた凹部４７ａに係入し、その上端には合成樹脂材よりなる操作用の操作部材５０が固定されている。なお、前記ガイド４８の前後部には、それぞれレバー４９の前後両端が当接可能な当接部５１が設けられている。
【００２９】
また、前記ガイド４８には、その外周の適所に一体的に係止突起（図示していない）を形成し、この係止突起がカートリッジ４４のケース体４５の内周面に形成された係止溝（図示していない）に嵌合することにより、このガイド４８の回転範囲に限界が設けられている。つまり前記操作部材５０の回動範囲は冷水から熱湯までの操作範囲に限定され、必要以上に回転しないように構成されている。
【００３０】
さらに、ガイド４８の左右両側の上端部は円弧状に形成されており、左右両側の上端部には例えば３対の溝５２が前後方向にほぼ等間隔に形成されている。
【００３１】
図４〜図６において、５３はカートリッジ４４を組み立てた状態で、レバー４９の上方から装着される係合部材であり、例えば樹脂などによって形成された枠体５４と、この枠体５４の下面に装着される金属製の板材５５によって構成されている。この係合部材５３の中心部に、前記レバー４９を嵌入するための開口部５６が形成されており、板材５５には一対の折曲部５７が形成されている。また、前記枠体５４の下部は、ガイド４８の上端部の円弧とほぼ同じ大きさの弧を描く一対のガイド当接面となっている。
【００３２】
そして、前記係合部材５３をレバー４９に装着してカートリッジ４４を組み立てることにより、前記折曲部５７がガイド４８の３対の溝５２に係合する係合片となり、溝５２と折曲部５７とからなるクリック機構によってレバー４９の前後（上下）方向の回動を所定角度毎に規制される。このように、各溝５２に対応する折曲部５７が金属板の折曲によって形成されているので、この折曲部５７が容易に摩耗することがなく、いつまでも良好な位置規制を行える。
【００３３】
なお、図４〜図６において、５８は係合部材５３の浮き上がりを防止するためにレバー４９の上端部に装着されるキャップ部材であり、その天井部中央には後述するねじ部材６４の雄ねじ部６５を挿通させるための貫通孔５９が設けられている。
【００３４】
また、前記操作部材５０は、図６に示すように、前記キャップ部材５８が装着された状態のレバー４９の上端部が挿入される凹入部５０ａを備え、この凹入部５０ａの上側には小径部分５０ｂが連設されている。
【００３５】
上記の構成からなるシングルレバー式湯水混合水栓では、湯導入管４１および水導入管４２を経て流れてきた湯および水は、固定ディスク４６に設けられた湯弁孔および水弁孔内に至り、それぞれ可動ディスク４７の下部に形成された平面視ほぼ楕円形状の湯水混合流路４７ａ内に流入する。その後、湯水混合流路４７ａ内の湯水は、固定ディスク４６に設けられた混合水用弁孔４６ａを経て、混合水流路（図示していない）に流入し、その下流側に設けられた吐出管４３から外部に吐出される。
【００３６】
そして、操作部材５０を前後（上下）方向に回動操作して、可動ディスク４７を前後方向に移動させ、この可動ディスク４７に形成された湯水混合流路４７ａと固定ディスク４６に設けられた湯弁孔および水弁孔とが重なる面積を変化させることにより、湯水の流量を調節することができる。また、操作部材５０を左右方向の回動操作して、可動ディスク４７を左右方向に移動させ、前記湯水混合流路４７ａが固定ディスク４６の湯弁孔に重なる面積と水弁孔に重なる面積との比率を調整することにより、湯水の混合比を調節することができる。
【００３７】
また、上記のように構成されたシングルレバー式湯水混合栓は、３対の溝５２と係合片５７の係合によって、操作部材５０の上下方向の回動を３段階に規制することができる。
【００３８】
すなわち、前記操作部材５０の操作によって前記カートリッジ４４内の可動ディスク４７の回動および平行移動を自在に行え、水栓本体４０は、操作部材５０の傾動操作によって混合水の吐出流量を適宜に調節でき、その回動操作によって湯水の混合割合を適宜に調節できるように構成されている。
【００３９】
ここまでの構成は、従来のシングルレバー式湯水混合栓と何ら変わるところがない。そして、この実施の形態のシングルレバー式湯水混合栓は、操作部材５０の取り付け構造に特徴がある。以下、この実施の形態のシングルレバー式湯水混合栓の特徴的構成について述べる。
【００４０】
図６において、６０はレバー４９の上部に上下方向に形成された（詳しくはレバー４９の上面から下方に向けて形成された）穴であり、レバー４９には、この穴６０を横断し一端側ほど狭まるテーパ孔６１が設けられている。なお、このテーパ孔６１の一端側はレバー４９の側壁の一部よりなる閉塞壁Ｗによって閉塞されている。６２はこのテーパ孔６１内に挿入され前記穴６０よりも大きいほぼ円柱形状をしたブロックであり、テーパ孔６１の内面に沿うようにその外面はテーパ状となっている。このブロック６２は、例えば、真鍮などの金属よりなり、前記操作部材５０の小径部分５０ｂおよびレバー４９の穴６０の内径よりも小さい内径をもった雌ねじ部６３が上端面から下端面まで上下方向に設けられている。また、前記テーパ孔６１内における閉塞壁Ｗとブロック６２との間には、シート状または板状で適宜の弾性を有しブロック６２をテーパ孔６１の他端側に付勢するための弾性部材（例えば板ばね）Ｄが挿入される。
【００４１】
６４はレバー４９の穴６０内にその上方から挿入される前記ブロック６２に螺着するねじ部材であり、外径が前記レバー４９の穴６０の内径とほぼ合致する雄ねじ部６５と、操作部材５０の前記小径部分５０ｂの内径よりも大きい外径を持つ頭部６６とを備えている。
【００４２】
なお、６７はねじ部材６４の頭部６６と操作部材５０の小径部分５０ｂとの間に設けられるシート部材であり、ねじ部材６４の雄ねじ部６５に挿通される挿通孔６８（図４参照）を有している。６９はねじ部材６４の頭部６６を覆うように操作部材５０上面に着脱自在に取り付けられるカバー部材である。
【００４３】
次に、操作部材５０の取り付け方について説明する。まず、図４および図６に示すように、レバー４９のテーパ孔６１の他端側から弾性部材Ｄおよびブロック６２を弾性部材Ｄがテーパ孔６１の一端側に位置するように（閉塞壁Ｗに当接するように）挿入する。また、レバー４９に係合部材５３を装着し、キャップ部材５８でレバー４９を覆った状態にする。そして、このキャップ部材５８が装着された状態のレバー４９の上端部が凹入部５０ａ内に挿入されるように操作部材５０をレバー４９上に載置する。続いて、シート部材６７を操作部材５０の小径部分５０ｂの上側に載置し、ねじ部材６４の雄ねじ部６５をシート部材６７の挿通孔６８、操作部材５０の小径部分５０ｂおよびレバー４９の穴６０内に挿入する。そして、ねじ部材６４の雄ねじ部６５がブロック６２の上面に到達すれば、ねじ部材６４の頭部６６がシート部材６７を介して操作部材５０の小径部分５０ｂの上面に圧接する状態となるまでねじ部材６４の雄ねじ部６５をブロック６２の雌ねじ部６３内にねじ込む。このとき、ねじ部材６４の雄ねじ部６５はその下部が雌ねじ部６３の下方に突出した状態となる。
【００４４】
ここで、ねじ部材６４のねじ込みに伴い、ねじ部材６４の頭部６６とブロック６２とを近づける方向に力が発生する。そして、この力の一部は、ブロック６２のテーパ状の外周面がテーパ孔６１の内周面に沿うように構成されているので、ブロック６２をテーパ孔６１の他端側に移動させる力に変換される。
【００４５】
従って、ねじ部材６４を雌ねじ部６３にねじ込むことにより、ねじ部材６４の頭部６６とブロック６２とを近づける方向の力が発生するので、操作部材５０の小径部分５０ｂをねじ部材６４の頭部６５とレバー４９の上端部とで挟持するに際してその挟持力を確保することができる。また、このとき、上方およびテーパ孔６１の他端側へと移動する方向に力が加えられるブロック６２によって、ねじ部材６４は強力に固定されることになる。
【００４６】
そして、最後に、カバー部材６９を操作部材５０の上面に取り付けることにより、操作部材５０の取り付けが完了する。
【００４７】
なお、この発明は、上記の実施の形態に限られず、種々に変形して実施することができる。例えば、上記第１の実施の形態に係る単水栓において、貫通孔３３を有する樹脂製のブロック３２に代えて、第２の実施の形態に示した雌ねじ部６３を有する金属製のブロック６２を用いてもよく、反対に、上記第２の実施の形態に係るシングルレバー式水栓において、雌ねじ部６３を有する金属製のブロック６２に代えて、第１の実施の形態に示した貫通孔３３を有する樹脂製のブロック３２を用いてもよい。
【００４８】
また、第１の実施の形態において、ブロック３２が、図７（Ａ）および（Ｂ）に示すように、平面状の上下両面７０ａ，７０ｂおよび左右両面７０ｃ，７０ｄを有していてもよく、この場合、図７（Ａ）および（Ｂ）に示すように、上面７０ａのみを傾斜面として、これによりブロック３２がその一端側ほど細くなるように構成してもよいし、このブロック３２の上面３２ａのみならず下面３２ｂも上面３２ａと同様に傾斜面としてブロック３２が一端側ほど細くなるように構成してあってもよく、左右両面７０ｃ，７０ｄのいずれか一方または両方を上面３２ａと同様に傾斜面としてブロック３２が一端側ほど細くなるように構成してあってもよい。上記のように形状を適宜に変更してもよいということは、第２の実施の形態におけるブロック６２についても同様である。
【図面の簡単な説明】
【００４９】
【図１】この発明の第１の実施の形態に係る水栓の構成を概略的に示す縦断面図である。
【図２】上記第１の実施の形態における水栓の要部の構成を概略的に示す説明図である。
【図３】上記第１の実施の形態における水栓の要部の構成を概略的に示す斜視図である。
【図４】この発明の第２の実施の形態に係る水栓の構成を概略的に示す斜視図である。
【図５】上記第２の実施の形態における水栓の要部の構成を概略的に示す縦断面図である。
【図６】上記第２の実施の形態における水栓の要部の構成を概略的に示す分解縦断面図である。
【図７】（Ａ）および（Ｂ）は、上記第１の実施の形態におけるブロックの変形例の構成を概略的に示す斜視図および縦断面図である。
【符号の説明】
【００５０】
１０  弁体
１４  制御部材
２２  操作部材
３０  穴
３１  テーパ孔
３２  ブロック
３４  ねじ部材
３５  雄ねじ部
３６  頭部
【図１】
2005281983.tif 000003
【図２】
2005281983.tif 000004
【図３】
2005281983.tif 000005
【図４】
2005281983.tif 000006
【図５】
2005281983.tif 000007
【図６】
2005281983.tif 000008
【図７】
2005281983.tif 000009